(57)【特許請求の範囲】
【請求項１】
認証装置と、個人情報を登録した登録データベースを備えたホスト制御装置と、申請人を撮影する撮影装置と、ＩＤカードを発行するＩＤカード発行機とを備えたＩＤカード作成システムにおいて、
前記認証装置が、コントローラと、複数の顔画像を記憶した照会データベースと、新規申請人の顔画像を入力する画像入力装置と、新規申請人の個人情報を入力する入力装置とを備え、
前記コントローラが、
前記画像入力装置により入力した新規申請人の顔画像を前記照会データベースの各顔画像と照合する照合手段と、
前記照合手段による照合の結果、前記画像入力装置により入力した新規申請人の顔画像と一致する顔画像が前記照会データベースにないと判定した場合に、前記入力装置により
入力した個人情報を前記ホスト制御装置に送信する手段と、
前記照合手段による照合の結果、前記画像入力装置により入力した新規申請人の顔画像と一致する顔画像が前記照会データベースにないと判定した場合に、承認情報を前記撮影装置に送信する手段とを備え、
前記ホスト制御装置が、前記コントローラから受信した個人情報を前記登録データベースに記録し、
前記撮影装置が、承認情報を前記コントローラから受信した場合に、前記ホスト制御装置により前記登録データベースに記録された個人情報を前記ホスト制御装置から照会し、撮影した画像とその個人情報を前記ＩＤカード発行機に送信し、
前記ＩＤカード発行機が、前記撮影装置から受信した個人情報及び画像に従ったＩＤカードを作成することを特徴とするＩＤカード作成システム。
【請求項２】
前記撮影装置が、承認情報を前記コントローラから受信するまで、前記ホスト制御装置による個人情報の照会及び前記ＩＤカード発行機によるＩＤカードの発行を行わずに待機することを特徴とする請求項１に記載のＩＤカード作成システム。
【請求項３】
前記コントローラが、前記照合手段による照合の結果、前記画像入力装置により入力した新規申請人の顔画像と一致する顔画像が前記照会データベースにあると判定した場合に、否認情報を前記撮影装置に送信する手段を更に備え、
前記撮影装置が、否認情報を受信した場合に、前記ホスト制御装置による照会を行わず、前記ＩＤカード発行機によるＩＤカードの発行を停止することを特徴とする請求項１又は２に記載のＩＤカード作成システム。
【請求項４】
前記認証装置が表示装置を更に備え、
前記コントローラが、前記照合手段による照合の結果、前記画像入力装置により入力した新規申請人の顔画像と一致する顔画像が前記照会データベースにあると判定した場合に、警報表示を前記表示装置に行わせる手段を更に備えることを特徴とする請求項１から３の何れか一項に記載のＩＤカード作成システム。
【請求項５】
コントローラ、複数の顔画像を記憶した照会データベース、新規申請人の顔画像を入力する画像入力装置、及び、新規申請人の個人情報を入力する入力装置を有する認証装置と、
個人情報を登録した登録データベースを有するホスト制御装置と、
申請人を撮影する撮影装置と、
ＩＤカードを発行するＩＤカード発行機とを用いたＩＤカード作成方法において、
前記コントローラが、前記画像入力装置により入力した新規申請人の顔画像を前記照会データベースの各顔画像と照合する照合工程と、
前記コントローラが、前記照合工程による照合の結果、前記画像入力装置により入力した新規申請人の顔画像と一致する顔画像が前記照会データベースにないと判定した場合に、前記入力装置により入力した個人情報を前記ホスト制御装置に送信する工程と、
前記コントローラが、前記照合工程による照合の結果、前記画像入力装置により入力した新規申請人の顔画像と一致する顔画像が前記照会データベースにないと判定した場合に、承認情報を前記撮影装置に送信する工程と、
前記ホスト制御装置が、前記コントローラから受信した個人情報を前記登録データベースに記録する工程と、
前記撮影装置が、承認情報を前記コントローラから受信した場合に、前記ホスト制御装置により前記登録データベースに記録された個人情報を前記ホスト制御装置から照会し、撮影した画像とその個人情報を前記ＩＤカード発行機に送信する工程と、
前記ＩＤカード発行機が、前記撮影装置から受信した個人情報及び画像に従ったＩＤカードを作成する工程と、を含むことを特徴とするＩＤカード作成方法。
【請求項６】
前記撮影装置が、承認情報を前記コントローラから受信するまで、前記ホスト制御装置による個人情報の照会を及び前記ＩＤカード発行機によるＩＤカードの発行を行わずに待機する工程を含むことを特徴とする請求項５に記載のＩＤカード作成方法。
【請求項７】
前記コントローラが、前記照合工程による照合の結果、前記画像入力装置により入力した新規申請人の顔画像と一致する顔画像が前記照会データベースにあると判定した場合に、否認情報を前記撮影装置に送信する工程と、
前記撮影装置が、否認情報を受信した場合に、前記ホスト制御装置による照会を行わず、前記ＩＤカード発行機によるＩＤカードの発行を停止する工程とを含むことを特徴とする請求項６に記載のＩＤカード作成方法。
【請求項８】
前記コントローラが、前記照合工程による照合の結果、前記画像入力装置により入力した新規申請人の顔画像と一致する顔画像が前記照会データベースにあると判定した場合に、警報表示を表示装置に行わせる工程を含むことを特徴とする請求項５から７の何れか一項に記載のＩＤカード作成方法。
【発明の詳細な説明】
【技術分野】
【０００１】
本発明は、ＩＤカード作成システム及びＩＤカード作成方法に関する。
【背景技術】
【０００２】
近年、社員証、免許証、身分証明書、パスポート、外国人登録証、キャッシュカード、クレジットカード、会員証、医療カード及び学生証といったＩＤカードが普及している。このＩＤカードの表面には、識別情報としてのＩＤ番号、登録者本人の顔画像が印字・印刷されているほか、登録者本人の氏名、住所といった個人情報も印字・印刷されている。このようなＩＤカードを作成するシステムとして、撮影装置で撮影した顔画像とともにＩＤ番号及び個人情報をＩＤカードに印字・印刷するシステムが知られている。このようなシステムにおいては、ＩＤカードの発行時に、撮影装置で撮影した顔画像がデータベースに登録される。
【０００３】
ところで、悪意ある者が登録者になりすまして、ＩＤカードの再発行・更新の申請を行うことがある。それを防止するために、ＩＤカードの再発行・申請の際には、撮影装置で撮影した申請人の顔画像がデータベースに登録された顔画像に一致するか否かの判定を撮影装置が自動的に行っている（例えば、特許文献１、特許文献２参照。）。この場合、申請人のＩＤ番号や個人情報によりデータベースに登録された顔画像が特定されるので、撮影した顔画像とデータベースの顔画像の照合は１回で済む。
【特許文献１】特開２００３−３１７０３６号公報
【特許文献２】特開２００４−１４２４７０号公報
【特許文献３】特開２００４−１６４１０３号公報
【特許文献４】特開２００４−１２６８１３号公報
【発明の開示】
【発明が解決しようとする課題】
【０００４】
しかしながら、新規申請人の場合には、顔画像がデータベースに登録されていない。そのため、悪意ある者が新規申請人になりすまして、ＩＤカードの新規発行の申請を行った場合、悪意の者にＩＤカードを誤って発行してしまう。
そこで、本発明は、新規申請人になりすました者にＩＤカードを誤発行してしまうことを防止することを目的とする。
【課題を解決するための手段】
【００１０】
請求項１に記載のＩＤカード作成システムは、
認証装置と、個人情報を登録した登録データベースを備えたホスト制御装置と、申請人を撮影する撮影装置と、ＩＤカードを発行するＩＤカード発行機とを備えたＩＤカード作成システムにおいて、
前記認証装置が、コントローラと、複数の顔画像を記憶した照会データベースと、新規申請人の顔画像を入力する画像入力装置と、新規申請人の個人情報を入力する入力装置とを備え、
前記コントローラが、
前記画像入力装置により入力した新規申請人の顔画像を前記照会データベースの各顔画像と照合する照合手段と、
前記照合手段による照合の結果、前記画像入力装置により入力した新規申請人の顔画像と一致する顔画像が前記照会データベースにないと判定した場合に、前記入力装置により
入力した個人情報を前記ホスト制御装置に送信する手段と、
前記照合手段による照合の結果、前記画像入力装置により入力した新規申請人の顔画像と一致する顔画像が前記照会データベースにないと判定した場合に、承認情報を前記撮影装置に送信する手段とを備え、
前記ホスト制御装置が、前記コントローラから受信した個人情報を前記登録データベースに記録し、
前記撮影装置が、承認情報を前記コントローラから受信した場合に、前記ホスト制御装置により前記登録データベースに記録された個人情報を前記ホスト制御装置から照会し、撮影した画像とその個人情報を前記ＩＤカード発行機に送信し、
前記ＩＤカード発行機が、前記撮影装置から受信した個人情報及び画像に従ったＩＤカードを作成することを特徴とする。
【００１１】
請求項２に記載のＩＤカード作成システムは、請求項１に記載のＩＤカード作成システムにおいて、
前記撮影装置が、承認情報を前記コントローラから受信するまで、前記ホスト制御装置による個人情報の照会及び前記ＩＤカード発行機によるＩＤカードの発行を行わずに待機することを特徴とする。
【００１２】
請求項３に記載のＩＤカード作成システムは、請求項１又は２に記載のＩＤカード作成システムにおいて、
前記コントローラが、前記照合手段による照合の結果、前記画像入力装置により入力した新規申請人の顔画像と一致する顔画像が前記照会データベースにあると判定した場合に、否認情報を前記撮影装置に送信する手段を更に備え、
前記撮影装置が、否認情報を受信した場合に、前記ホスト制御装置による照会を行わず、前記ＩＤカード発行機によるＩＤカードの発行を停止することを特徴とする。
【００１３】
請求項４に記載のＩＤカード作成システムは、請求項１から３の何れか一項に記載のＩＤカード作成システムにおいて、
前記認証装置が表示装置を更に備え、
前記コントローラが、前記照合手段による照合の結果、前記画像入力装置により入力した新規申請人の顔画像と一致する顔画像が前記照会データベースにあると判定した場合に、警報表示を前記表示装置に行わせる手段を更に備えることを特徴とする。
【００１４】
請求項５に記載のＩＤカード作成方法は、
コントローラ、複数の顔画像を記憶した照会データベース、新規申請人の顔画像を入力する画像入力装置、及び、新規申請人の個人情報を入力する入力装置を有する認証装置と、
個人情報を登録した登録データベースを有するホスト制御装置と、
申請人を撮影する撮影装置と、
ＩＤカードを発行するＩＤカード発行機とを用いたＩＤカード作成方法において、
前記コントローラが、前記画像入力装置により入力した新規申請人の顔画像を前記照会データベースの各顔画像と照合する照合工程と、
前記コントローラが、前記照合工程による照合の結果、前記画像入力装置により入力した新規申請人の顔画像と一致する顔画像が前記照会データベースにないと判定した場合に、前記入力装置により入力した個人情報を前記ホスト制御装置に送信する工程と、
前記コントローラが、前記照合工程による照合の結果、前記画像入力装置により入力した新規申請人の顔画像と一致する顔画像が前記照会データベースにないと判定した場合に、承認情報を前記撮影装置に送信する工程と、
前記ホスト制御装置が、前記コントローラから受信した個人情報を前記登録データベースに記録する工程と、
前記撮影装置が、承認情報を前記コントローラから受信した場合に、前記ホスト制御装置により前記登録データベースに記録された個人情報を前記ホスト制御装置から照会し、撮影した画像とその個人情報を前記ＩＤカード発行機に送信する工程と、
前記ＩＤカード発行機が、前記撮影装置から受信した個人情報及び画像に従ったＩＤカードを作成する工程と、を含むことを特徴とする。
【００１５】
請求項６に記載のＩＤカード作成方法は、請求項５に記載のＩＤカード作成方法において、
前記撮影装置が、承認情報を前記コントローラから受信するまで、前記ホスト制御装置による個人情報の照会を及び前記ＩＤカード発行機によるＩＤカードの発行を行わずに待機する工程を含むことを特徴とする。
【００１６】
請求項７に記載のＩＤカード作成方法は、請求項６に記載のＩＤカード作成方法において、
前記コントローラが、前記照合工程による照合の結果、前記画像入力装置により入力した新規申請人の顔画像と一致する顔画像が前記照会データベースにあると判定した場合に、否認情報を前記撮影装置に送信する工程と、
前記撮影装置が、否認情報を受信した場合に、前記ホスト制御装置による照会を行わず、前記ＩＤカード発行機によるＩＤカードの発行を停止する工程とを含むことを特徴とする。
【００１７】
請求項８に記載のＩＤカード作成方法は、請求項５から７の何れか一項に記載のＩＤカード作成方法において、
前記コントローラが、前記照合工程による照合の結果、前記画像入力装置により入力した新規申請人の顔画像と一致する顔画像が前記照会データベースにあると判定した場合に、警報表示を表示装置に行わせる工程を含むことを特徴とする。
【発明の効果】
【００１８】
本発明によれば、新規申請人の顔画像が照会データベースに登録されている場合には、ＩＤカードの作成が行われず、新規申請人の顔画像が照会データベースに登録されている場合には、ＩＤカードの作成が行われる。新規申請人が登録者であるにも関わらず、登録者でないとして新規に申請した場合でも、そのような新規申請人にＩＤカードを誤発行してしまうことを防止することができる。
【００１９】
また、新規申請人の顔画像と照会データベースの各顔画像の照合が撮影装置ではなく、認証装置で行われるので、撮影装置では申請人の顔画像の撮影を次々に行え、認証装置の判定結果を得た時点でＩＤカードが発行されるので、発行業務の効率アップに繋がる。
【発明を実施するための最良の形態】
【００２０】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２１】
図１は、ＩＤカード作成システム１００の全体構成を示したブロック図である。図１に示すように、ＩＤカード作成システム１００は、ホスト制御装置１、受付端末２、撮影装置３及びＩＤカード発行機４を具備し、ＩＤカード作成システム１００を構成する各装置は通信ネットワーク６により接続される。ここで、受付端末２が認証装置となる。
【００２２】
通信ネットワーク６は、例えば、公衆回線、電話回線、ＩＳＤＮ回線、無線通信回線、専用線、ＣＡＴＶ回線といったネットワークである。この通信ネットワーク６は、任意な時に接続が可能であればよく、常時接続されている必要はない。また、通信ネットワーク６は、情報管理の信頼性の観点から、特定のユーザのみアクセス可能なセキュリティを確保していることが望ましい。又は、ＩＤカード作成システム１００は、通過する情報を制限するファイアウォール機能を有するプロキシサーバ等を備える構成であってもよい。
【００２３】
ホスト制御装置１はＣＰＵ（Central Processing Unit）、ＲＡＭ（Random Access Memory）、ＲＯＭ（Read Only Memory）、通信インターフェース等を有したコンピュータであり、更に登録データベース１１を備えている。登録データベース１１は、登録されたＩＤ番号（免許番号、登録番号といった識別番号）が格納されているとともに、登録された個人情報（氏名、現住所、生年月日、年齢、本籍、電話番号、性別、身体データ等）も格納されている。この登録データベース１１では、ＩＤ番号ごとに個人情報が対応付けられている。また、新規申請において、ホスト制御装置１は、新規申請人の個人情報と新規なＩＤ番号を受付端末２から受信した場合に、そのＩＤ番号にその個人情報を対応付けて登録データベース１１に記録する機能を有する。また、更新申請において、ホスト制御装置１は、更新された個人情報と登録されたＩＤ番号を受付端末２から受信した場合に、登録データベース１１におけるそのＩＤ番号に対応する個人情報を、更新された個人情報に書き替える機能を有する。また、新規申請・更新申請において、ホスト制御装置１は、撮影装置３から照会されたＩＤ番号に対応する個人情報を撮影装置３に送信する機能を有する。なお、１台のホスト制御装置１に通信ネットワーク６を介して接続される撮影装置３及びＩＤカード発行機４の台数は特に限定されない。
【００２４】
撮影装置３は、通信を行うための通信部と、申請人を撮影する電子カメラと、申請人に閃光を発する閃光機と、電子カメラ及び閃光機を制御するコンピュータと、ＩＤ番号を入力するためのキーボードとを備える。撮影装置３のコンピュータは、電子カメラから転送された申請人の画像を一時的に記憶し、入力装置により入力されたＩＤ番号と申請人画像を対応付け、入力されたＩＤ番号に対応する個人情報の照会をホスト制御装置１に指示し、そのＩＤ番号に対応する個人情報をホスト制御装置１から受信してそのＩＤ番号とその個人情報を対応付け、そのＩＤ番号と申請人画像と個人情報をＩＤカード発行機に送信する機能を有する。なお、新規申請においては、入力装置により入力されたＩＤ番号が新規なＩＤ番号であり、撮影装置３は、受付端末２から承認情報又は否認情報を受信するまでホスト制御装置１への照会を待機する機能を有する。
【００２５】
ＩＤカード発行機４は、撮影装置３から、ＩＤカードの発行に必要なデータ（ＩＤ番号、申請人画像、個人情報）を受信して、その受信したデータに従ってＩＤカードを作成する。例えば、ＩＤカード発行機４は、ＩＤカードにＩＤ番号、申請人画像及び個人情報を印刷するとともに、ＩＤカードに内蔵されたＩＣチップにＩＤ番号及び個人情報を書き込む。
【００２６】
図２は、受付端末２の全体構成を示したブロック図である。図２に示すように、受付端末２は、コントローラ２１、記憶部２２、カメラ２３、スキャナ２４、入力装置２５、通信部２６、照会データベース２７及び表示装置２８を備える。
【００２７】
入力装置２５は、テンキー、文字入力キー及び各種機能キー等を備え、それらキーの押下に対応する操作信号をコントローラ２１に転送する。更新申請においては、更新された個人情報と登録されたＩＤ番号は、入力装置２５により入力することができる。また、新規申請においては、新規な個人情報が入力装置２５により入力することができ、住所、年齢、本籍、性別といった絞り込み条件も入力装置２５により入力することができる。
【００２８】
通信部２６は、受付端末２を通信ネットワーク６に接続するためのインターフェースであり、通信ネットワーク６を介してホスト制御装置１、撮影装置３及びＩＤカード発行機４と通信を行うための制御を行う。
【００２９】
表示装置２８は液晶ディスプレイといった表示装置であり、コントローラ２１から入力される表示制御信号に従って各種の表示を行う。
【００３０】
画像入力装置であるカメラ２３は、申請人の顔を結像する光学レンズと、光学レンズによって結像された像を光電変換により電気信号に変換するフォトセンサアレイ（例えば、ＣＣＤ（Charge Coupled Device）型固体撮像素子、ＣＭＯＳ（Complementary Metal Oxide Semiconductor）型固体撮像素子）と、フォトセンサアレイから出力された画像信号を所定分解能でサンプリングして画像信号をデジタルデータに変換する信号処理回路等とを有し、光学レンズ、フォトセンサアレイ及び信号処理回路等によって申請人の顔画像を撮影する。
【００３１】
画像入力装置であるスキャナ２０は、申請書に沿ってライン状イメージセンサを移動させて、ライン状イメージセンサによって申請書に付された申請人の顔写真を１ラインごとに光電変換により電気信号に変換し、ライン状イメージセンサから出力された信号をサンプリングして画像信号をデジタルデータに変換することで、申請人の顔画像を入力する。なお、申請書には申請人の顔写真のほかに、申請人の個人情報も記入されている。
【００３２】
記憶部２２は磁気的記憶媒体、光学的記憶媒体又は半導体メモリである。この記憶部２２にはプログラム等が記憶されている。記憶部２２に記憶されたプログラムは、コントローラ２１が読取可能なプログラムコードの形態で格納され、当該プログラムコードに従った動作がコントローラ２１の制御下にて逐次実行される。なお、記憶部２２が記憶するプログラムは、その一部又は全部を他の機器から通信ネットワーク６を介して受信して記憶するような構成にしてもよい。
【００３３】
照会データベース２７には、登録された個人情報（現住所、年齢、本籍、性別）が複数格納されているとともに、登録された顔画像が複数格納されている。この照会データベース２７では、顔画像ごとに個人情報が対応付けて格納されている。
【００３４】
コントローラ２１は、ＣＰＵ、ＲＡＭ、ＲＯＭ、通信インターフェース等を有したコンピュータであり、記憶部２２に記憶されたプログラムによって以下のような機能を持つ。即ち、更新申請において、コントローラ２１は、更新された個人情報と登録されたＩＤ番号が入力装置２５からコントローラ２１に転送された場合に、その個人情報とそのＩＤ番号を通信部２６を介してホスト制御装置１に送信する機能を有する。
【００３５】
また、新規申請において、コントローラ２１は、新規申請人の個人情報が入力装置２５からコントローラ２１に転送された場合に、カメラ２３又はスキャナ２４を駆動し、カメラ２３又はスキャナ２４から転送された新規申請人の顔画像に新規なＩＤ番号を付し、その新規申請人の顔画像を照会データベース２７の各顔画像と照合する機能を有する。照会データベース２７の或る顔画像と新規申請人の顔画像の照合に際しては、コントローラ２１は、照会データベース２７の或る顔画像と新規申請人の顔画像との一致度を求め、その一致度が閾値以上の場合には一致すると判定し、その一致度がその閾値未満の場合には一致しないと判定する。この照合機能においては、入力装置２５からコントローラ２１に絞り込み条件が転送されない場合には、コントローラ２１は、照会データベース２７の全ての顔画像と照合を行う。一方、入力装置２５からコントローラ２１に絞り込み条件が転送された場合には、コントローラ２１は、その絞り込み条件に一致する個人情報に対応する各顔画像と照合を行う。ここで、絞り込み条件が入力されると、照会データベース２７の照合対象となる顔画像の数が少なくなるので、コントローラ２１は、照合対象となる顔画像の数が少なくなるにつれて閾値を小さくする。
【００３６】
また、コントローラ２１は、その照合の結果、新規申請人の顔画像と一致する顔画像が照会データベース２７にないと判定すると、その新規なＩＤ番号と新規申請人の個人情報を通信部２６を介してホスト制御装置１に送信し、その新規なＩＤ番号と承認情報を撮影装置３に送信する機能を有する。また、コントローラ２１は、その照合の結果、新規申請人の顔画像と一致する顔画像が照会データベース２７にあると判定すると、その新規なＩＤ番号と新規申請人の個人情報をホスト制御装置１に送信せずに、その新規なＩＤ番号と否認情報を撮影装置３に送信する機能を有する。
【００３７】
新規申請における、ＩＤカード作成システム１００の動作及びこのＩＤカード作成システム１００を用いたＩＤカード作成方法について説明する。
【００３８】
発行人が申請書の記入内容に従って新規申請人の個人情報を入力装置２５で入力すると、個人情報がコントローラ２１に転送され、コントローラ２１がその個人情報に新規なＩＤ番号を対応付ける（ステップＳ１）。以下では、ステップＳ１において入力された個人情報を入力個人情報といい、ステップＳ１において対応付けされたＩＤ番号を新規ＩＤ番号という。
【００３９】
次に、コントローラ２１がカメラ２３又はスキャナ２４を駆動することによって、カメラ２３又はスキャナ２４から新規申請人の顔画像がコントローラ２１に転送される（ステップＳ２）。ここで、カメラ２３を用いる場合には、新規申請人がカメラ２３に向かい合い、スキャナ２４を用いる場合には、発行人が申請書をスキャナ２４にセッティングする。以下では、ステップＳ２において入力された顔画像を入力顔画像という。
【００４０】
次に、コントローラ２１は、入力装置２５から絞り込み条件が転送されたか否かを判定する（ステップＳ３）。そして、発行人が絞り込み条件を入力装置２５で入力したら（ステップＳ３：Ｙｅｓ）、コントローラ２１は、照会データベース２７に格納された顔画像のうち、その絞り込み条件に一致する個人情報に対応する顔画像の数をカウントアップし、その数に応じた閾値を設定する（ステップＳ４）。ここで、絞り込み条件に一致する個人情報に対応する顔画像の数が大きくなる程、閾値が低くなる。例えば、ステップＳ３において絞り込み条件として「男性」と入力した場合には、照会データベース２７に格納された顔画像のうち、個人情報の性別項目が「男性」となる顔画像の総数をカウントアップし、その総数に応じた閾値を設定し、ステップＳ３において絞り込み条件として「４０〜６０歳」と入力した場合には、照会データベース２７に格納された顔画像のうち、個人情報の年齢項目が「４０〜６０歳」となる顔画像の総数をカウントアップし、その総数に応じた閾値を設定する。
【００４１】
一方、発行人が絞り込み条件を入力しないと、コントローラ２１は閾値を設定する（ステップＳ５）。ここで、ステップＳ３で入力された絞り込み条件に一致する個人情報に対応する顔画像が照会データベース２７の全ての顔画像である場合には、ステップ４の設定閾値とステップＳ５の設定閾値は等しく、ステップＳ３で入力された絞り込み条件に一致する個人情報に対応する顔画像の数が照会データベース２７の顔画像の総数よりも少ない場合には、ステップ４の設定閾値とステップＳ５の設定閾値よりも低い。
【００４２】
ステップＳ４の次のステップＳ６では、コントローラ２１は、照会データベース２７に格納された顔画像のうち、絞り込み条件に一致する個人情報に対応する各顔画像を順次、入力顔画像と照合する。ここで、照会データベース２７の或る顔画像と入力顔画像の照合においては、コントローラ２１は、その或る顔画像と入力顔画像の一致度合いを求め、その一致度合いがステップＳ４の設定閾値以上の場合に両顔画像が一致するものと判定し、その一致度合いがステップＳ４の設定閾値未満の場合に両顔画像が一致しないものと判定する。なお、ステップＳ３において絞り込み条件として「男性」と入力した場合には、照会データベース２７に格納された顔画像のうち、個人情報の性別項目が「男性」となる顔画像と入力顔画像の照合を行い、ステップＳ３において絞り込み条件として「４０〜６０歳」と入力した場合には、照会データベース２７に格納された顔画像のうち、個人情報の年齢項目が「４０〜６０歳」となる顔画像と入力顔画像の照合を行う。
【００４３】
一方、ステップＳ５の次のステップＳ７では、コントローラ２１は、照会データベース２７に格納された各顔画像を順次、入力顔画像と照合する。ここで、照会データベース２７の或る顔画像と入力顔画像の照合においては、コントローラ２１は、その或る顔画像と入力顔画像の一致度合いを求め、その一致度合いがステップＳ５の設定閾値以上の場合に両顔画像が一致するものと判定し、その一致度合いがステップＳ５の設定閾値未満の場合に両顔画像が一致しないものと判定する。
【００４４】
ステップＳ６、ステップＳ７の照合の結果、入力顔画像に一致する顔画像が照会データベース２７にある場合には（ステップＳ８：Ｙｅｓ）、コントローラ２１が表示装置２８に警報表示信号を転送することで、表示装置２８にて警報が表示される（ステップＳ９）。そして、コントローラ２１は、新規ＩＤ番号と否認情報を撮影装置３に送信する（ステップＳ１０）。そして、コントローラ２１の処理が終了する。
【００４５】
一方、ステップＳ６、ステップＳ７の照合の結果、入力顔画像に一致する顔画像が１つもない場合には（ステップＳ８：Ｎｏ）、コントローラ２１が新規ＩＤ番号と入力個人情報を通信部２６を介してホスト制御装置１に送信する（ステップＳ１１）。ホスト制御装置１は、新規ＩＤ番号と入力個人情報を新たに登録データベース１１に登録する。そして、ホスト制御装置１は登録の旨を受付端末２に送信し、その旨を受信した受付端末２のコントローラ２１が新規ＩＤ番号と承認情報を撮影装置３に送信する（ステップＳ１２）。そして、コントローラ２１の処理が終了する。
【００４６】
撮影装置３においては、発行人が新規なＩＤ番号を撮影装置３のキーボードで入力すると、撮影装置３のカメラによって新規申請人の画像が撮像され、その申請人画像が一時的に撮影装置３のコンピュータに記憶され、撮影装置３のコンピュータが待機状態となる。
【００４７】
そして、撮影装置３のコンピュータが受付端末２のコントローラ２１から新規ＩＤ番号と承認情報を受信すると、撮影装置３のコンピュータがその新規ＩＤ番号に対応する個人情報をホスト制御装置１から照会し、その個人情報と申請人画像と新規ＩＤ番号をＩＤカード発行機４に送信する。そして、ＩＤカード発行機４は、受信した個人情報、申請人画像及び新規ＩＤ番号に従ってＩＤカードを作成する。一方、撮影装置３のコンピュータが受付端末２のコントローラ２１から新規ＩＤ番号と否認情報を受信すると、撮影装置３のコンピュータは、ホスト制御装置１の照会を行わず、更にＩＤカード発行機４に申請人画像を送信せずにＩＤカード発行機４によるＩＤカードの発行を停止し、警報処理を行う。
【００４８】
更新申請における、ＩＤカード作成システム１００の動作及びこのＩＤカード作成システム１００を用いたＩＤカード作成方法について説明する。発行人が申請書の記入内容に従って更新申請人の個人情報及びＩＤ番号を入力装置２５で入力すると、個人情報及びＩＤ番号がコントローラ２１に転送される。次に、コントローラ２１がカメラ２３又はスキャナ２４を駆動することによって、カメラ２３又はスキャナ２４から更新申請人の顔画像がコントローラ２１に転送される。次に、コントローラ２１は、入力されたＩＤ番号に対応する顔画像を照会データベース２７から検索し、その顔画像と入力した顔画像を照合する。照合の結果、両顔画像が一致しない場合には、表示装置２８にて警報表示され、コントローラ２１から否認情報とＩＤ番号が撮影装置３に送信される。一方、照合の結果、両顔画像が一致した場合には、ＩＤ番号と個人情報がコントローラ２１からホスト制御装置１に送信され、登録データベース１１の個人情報が更新され、更に、ＩＤ番号と承認情報がコントローラ２１から撮影装置３に送信される。
【００４９】
撮影装置３においては、更新申請人の画像が撮影される。そして、撮影装置３のコンピュータが受付端末２のコントローラ２１からＩＤ番号と承認情報を受信すると、撮影装置３のコンピュータが個人情報をホスト制御装置１から照会し、その個人情報と更新申請人画像とＩＤ番号をＩＤカード発行機４に送信し、ＩＤカード発行機４にてＩＤカードが作成される。一方、撮影装置３のコンピュータが受付端末２のコントローラ２１からＩＤ番号と否認情報を受信すると、撮影装置３のコンピュータは、ホスト制御装置１の照会を行わず、更にＩＤカード発行機４に申請人画像を送信せずに、警報処理を行う。
【００５０】
以上のように、本実施形態によれば、新規申請人の顔画像が照会データベース２７に登録されている場合には（ステップＳ８：Ｙｅｓ）、ＩＤカードの作成が行われず、新規申請人の顔画像が照会データベース２７に登録されている場合には（ステップＳ８：Ｎｏ）、ＩＤカードの作成が行われる。そのため、悪意ある者が新規申請人になりすましてＩＤカードの新規発行を申請したものとしても、そのような者にＩＤカードを誤発行してしまうことを防止することができる。
【００５１】
また、絞り込み条件を入力しない場合（ステップＳ３：Ｎｏ）、照会データベース２７に登録されている顔画像すべてが新規申請人の顔画像との照合対象になるので、閾値を高くしても、悪意ある者の顔画像が照会データベース２７に登録されている顔画像と一致する可能性が高くなる。一方、絞り込み条件を入力した場合（ステップＳ３：Ｙｅｓ）、照会データベース２７に登録されている顔画像の一部が新規申請人の顔画像との照合対象になったものとしても、閾値を低くするので、悪意ある者の顔画像が照会データベース２７に登録されている顔画像と一致する可能性が極端に低くならない。このように、効率よく検索を行うことができる。
【００５２】
また、新規申請人の顔画像と照会データベース２７の各顔画像の照合が撮影装置３ではなく、受付端末２で行われるので、撮影装置３では申請人の顔画像の撮影を次々に行え、受付端末２の判定結果を得た時点でＩＤカードが発行されるので、発行業務の効率アップに繋がる。
【００５３】
なお、本発明は、上記実施の形態に限定されることなく、本発明の趣旨を逸脱しない範囲において、種々の改良並びに設計の変更を行っても良い。
例えば、上記ステップＳ１〜ステップＳ１２の処理を撮影装置３のコンピュータによって行っても良いし、専用の認証サーバによって行っても良い。
【図面の簡単な説明】
【００５４】
【図１】ＩＤカード作成システムの構成を示す図。
【図２】ＩＤカード作成システムを構成する受付端末の構成を示すブロック図。
【図３】受付端末において実行される処理を示すフローチャート。
【符号の説明】
【００５５】
１  ホスト制御装置
２  受付端末
３  撮影装置
４  ＩＤカード発行機
１１  登録データベース
２１  コントローラ
２２  記憶部
２３  カメラ
２４  スキャナ
２５  入力装置
２６  通信部
２７  照会データベース
２８  表示装置
１００  ＩＤカード作成システム
【図１】
0004846385.tif 000002
【図２】
0004846385.tif 000003
【図３】
0004846385.tif 000004